(57)【特許請求の範囲】
【請求項１】
水流を吐き出す先端部分に設けられるノズルヘッドに装着されるノズルヘッド用フードにおいて、
前記ノズルヘッドの吐き出し口が上方に向いて水流を吐き出す際に、前記ノズルヘッドとの接合部の近傍に、前記ノズルヘッドの外周縁に設けられる複数の切り欠き部と、この切り欠き部にフードを接合することで形成される水抜きを行なうための水抜き用穴と、
前記フードの取り付け部分の端部外周に凸部を設け、この凸部の内側に前記ノズルヘッドを取り付けることにより前記水抜き用穴としての隙間を形成し、この隙間で形成される前記水抜き用穴における内側の直前位置に、水抜きされる液体をあてる突起形状を設け、この突起形状によって水抜きされる液体をあてた後に前記水抜き用穴に導く導水手段と、
を備えたことを特徴とするノズルヘッド用フード。
【請求項２】
前記水抜き用穴は、前記ノズルヘッドの接合部分に設けられた少なくとも１つの凹部と、ノズルヘッド用フードの接合端部と、で形成されることを特徴とする請求項１に記載のノズルヘッド用フード。
【請求項３】
頭皮などを洗浄する場合に用いられ、タンクに貯水された洗浄用水または外部より導水された洗浄用水に所定の圧力および脈動を加え、ノズルヘッドからシャワー状に吐き出す頭皮洗浄器において、
前記ノズルヘッドの吐き出し口が上方に向いて水流を吐き出す際に、前記ノズルヘッドとの接合部の近傍に、前記ノズルヘッドの外周縁に設けられる複数の切り欠き部と、この切り欠き部にフードを接合することで形成される水抜きを行なうための水抜き用穴と、
前記フードの取り付け部分の端部外周に凸部を設け、この凸部の内側に前記ノズルヘッドを取り付けることにより前記水抜き用穴としての隙間を形成し、この隙間で形成される前記水抜き用穴における内側の直前位置に、水抜きされる液体をあてる突起形状を設け、この突起形状によって水抜きされる液体をあてた後に前記水抜き用穴に導く導水手段と、
ことを特徴とする頭皮洗浄器。
【発明の詳細な説明】
【技術分野】
【０００１】
本発明は、ノズルヘッド用フードおよび頭皮洗浄器に関するものである。
【背景技術】
【０００２】
従来、理容・美容サロンや育毛サロン、あるいは家庭などにおいて頭部を洗浄する器具として、洗浄用水を加圧し、かつ脈動を与えて吐き出す頭皮洗浄器が市販されている。このような頭皮洗浄器は、洗浄効果やマッサージ効果、およびその利便性、快適性などに優れている。すなわち、通常のシャワーとは全く異なる心地よい刺激でリラクゼーション効果を増大させるものである。頭皮洗浄器がパーソナル型の場合、頭皮洗浄に使用する１回分の洗浄用水をタンクに貯水し、ポンプでタンク内に貯水されている洗浄用水を取り込んで加圧すると共に脈動を与え、このジェット水流をノズルヘッドから吐き出すように構成されている。
【０００３】
さて、このような頭皮洗浄器にあっては、頭部を洗浄する際には、ノズルヘッドをできるだけ頭部に近づけて洗浄用水の飛散が小さくなるようにしたり、あらかじめ飛散しないように水の吐出量を加減していた。ところで、このように使用時においては水の飛散に注意しなければならない。そこで、ノズルヘッドから吐出口から吐き出された水が洗浄部位以外にユーザやその周りなどに飛散するのを防止するためのカバー（水飛散防止用フード）を設けたものが開示されている（たとえば、特許文献１参照）。ここでは、特に、水がフードの中に溜まって洗浄効果を損なわないように、水抜き穴をフードの先端に設けている。
【０００４】
また、洗浄を行なう際にノズルヘッドからの水の飛散を防止するために、他の水飛散防止用フードも開示されている（たとえば、特許文献２参照）。この水飛散防止用フードは、ノズルの先端に取り付けるフードを筒材とし、網状の筒部材、あるいは多孔質素材の筒部材で形成されている（たとえば、特許文献２参照）。
【０００５】
【特許文献１】特開平７−２５５５２３号公報
【特許文献２】特開平１１−１３７３２８号公報
【発明の開示】
【発明が解決しようとする課題】
【０００６】
しかしながら、上記に示されるような特許文献１の頭皮洗浄器にあっては、フード先端の水抜き穴から、対象部位に跳ね返った水が飛び出すことがあった。また、特許文献１および特許文献２に示されるフードの場合、美容室・理容室などにおいてバックシャンプーを行なう場合、フードがノズルの上にきたときにノズルの穴を塞ぐようなかたちでフードの中に水が溜まることにより、本来の水流が吐出されなくなるため、良好な洗浄を行なうことができないという問題点があった。
【０００７】
本発明は、上記に鑑みてなされたものであって、フードがノズルより上に位置するような洗浄であっても、水抜きを可能にすることにより、良好な洗浄を実現することを目的とする。
【課題を解決するための手段】
【０００８】
上述した課題を解決し、目的を達成するために、請求項１にかかる発明は、流を吐き出す先端部分に設けられるノズルヘッドに装着されるノズルヘッド用フードにおいて、前記ノズルヘッドの吐き出し口が上方に向いて水流を吐き出す際に、前記ノズルヘッドとの接合部の近傍に、前記ノズルヘッドの外周縁に設けられる複数の切り欠き部と、この切り欠き部にフードを接合することで形成される水抜きを行なうための水抜き用穴と、前記フードの取り付け部分の端部外周に凸部を設け、この凸部の内側に前記ノズルヘッドを取り付けることにより前記水抜き用穴としての隙間を形成し、この隙間で形成される前記水抜き用穴における内側の直前位置に、水抜きされる液体をあてる突起形状を設け、この突起形状によって水抜きされる液体をあてた後に前記水抜き用穴に導く導水手段と、を備えたことを特徴とする。
【０００９】
この請求項１にかかる発明によれば、たとえば、頭皮洗浄器などの脈動ジェット水流が吐き出されるノズルヘッドの先端に飛散防止のためのフードを装着する場合、そのフードのノズルとの接合部分の近傍に、水抜き用穴を設けることにより、特に、ノズルが上に向いた状態であっても、フード内に液体が溜まり過ぎないうちに、フード内に溜まる洗浄液（水）の水抜きを可能にし、ノズル穴を塞ぐことがなくなる。また、水抜き用穴を、前記ノズルヘッドの外周縁に設けられる複数の切り欠き部と、この切り欠き部にフードを接合することで形成することで、穴をあけるといった加工あるいは金型構造でなくなるので、フードの加工が容易になる。また、フードの内側に、水抜き用穴から出ようとする液体を、ブロックするための、たとえば返しツバといった導水手段を設けることにより、対象物にはねかえった液体をそのまま水抜き穴から勢いよく跳び出させることなく、いったんこの返しツバにあてることによって水流の勢いを減速させることが可能になる。
【００１２】
また、請求項２にかかる発明は、前記フードの取り付け部分の端部外周に凸部を設け、この凸部の内側に前記ノズルヘッドを取り付けることにより前記水抜き用穴としての隙間を形成することを特徴とする。
【００１３】
また、この請求項２にかかる発明によれば、請求項１において、ノズルヘッドの接合部分に少なくとも１つの凹部を設け、この凹部にフードの端部を接合させて、水抜き穴を形成することにより、このノズルヘッドとフードの間にできる隙間から、ノズル先端が上を向いている状態で使用してもフード内に溜まった液体を逃がすことが可能になるとともに、微小穴をフードにあけないことで、加工性も向上する。
【００１８】
また、請求項３にかかる発明は、頭皮などを洗浄する場合に用いられ、タンクに貯水された洗浄用水または外部より導水された洗浄用水に所定の圧力および脈動を加え、ノズルヘッドからシャワー状に吐き出すにおいて、前記ノズルヘッドの吐き出し口が上方に向いて水流を吐き出す際に、前記ノズルヘッドとの接合部の近傍に、前記ノズルヘッドの外周縁に設けられる複数の切り欠き部と、この切り欠き部にフードを接合することで形成される水抜きを行なうための水抜き用穴と、前記フードの取り付け部分の端部外周に凸部を設け、この凸部の内側に前記ノズルヘッドを取り付けることにより前記水抜き用穴としての隙間を形成し、この隙間で形成される前記水抜き用穴における内側の直前位置に、水抜きされる液体をあてる突起形状を設け、この突起形状によって水抜きされる液体をあてた後に前記水抜き用穴に導く導水手段と、ことを特徴とする。
【００１９】
また、この請求項３にかかる発明によれば、頭皮洗浄器で生成される脈動ジェット水流をノズルヘッドから吐出して洗浄部位にあてる際に、洗浄用水が飛散するのを防止する目的でフードがノズル先端に装着される、この場合、フードに、ノズルヘッドとの接合部の近傍に水抜きを行うための水抜き用穴を設けることにより、特に、ノズルが上に向いた状態であっても、フード内に洗浄用水が溜まり過ぎないうちに、フード内に溜まる洗浄液（水）の水抜きを可能にし、ノズル穴を塞ぐことがなくなる。また、水抜き用穴を、前記ノズルヘッドの外周縁に設けられる複数の切り欠き部と、この切り欠き部にフードを接合することで形成することで、穴をあけるといった加工あるいは金型構造でなくなるので、フードの加工が容易になる。また、フードの内側に、水抜き用穴から出ようとする液体を、ブロックするための、たとえば返しツバといった導水手段を設けることにより、対象物にはねかえった液体をそのまま水抜き穴から勢いよく跳び出させることなく、いったんこの返しツバにあてることによって水流の勢いを減速させることが可能になる。
【発明の効果】
【００２０】
本発明（請求項１）にかかるノズルヘッド用フードは、たとえば、頭皮洗浄器などの脈動ジェット水流が吐き出されるノズルヘッドの先端に飛散防止のためのフードを装着する場合、そのフードのノズルとの接合部分の近傍に、水抜き用穴を設けることにより、特に、ノズルが上に向いた状態であっても、フード内に液体が溜まり過ぎないうちに、フード内に溜まる洗浄液（水）の水抜きを可能にし、ノズル穴を塞ぐことがなくなるため、ノズルとフードがいかなる方向に向いて操作されても本来の水流が得られ、良好な洗浄を提供できるという効果を奏する。また、水抜き用穴を、前記ノズルヘッドの外周縁に設けられる複数の切り欠き部と、この切り欠き部にフードを接合することで形成することで、穴をあけるといった加工あるいは金型構造でなくなるので、フードの加工が容易になる。また、フードの内側に、水抜き用穴から出ようとする液体を、ブロックするための、たとえば返しツバといった導水手段を設けることにより、対象物にはねかえった液体をそのまま水抜き穴から勢いよく跳び出させることなく、いったんこの返しツバにあてることによって水流の勢いを減速させることが可能になる。
【００２２】
また、本発明（請求項２）にかかるノズルヘッド用フードは、請求項１において、ノズルヘッドの接合部分に少なくとも１つの凹部を設け、この凹部にフードの端部を接合させて、水抜き穴を形成することにより、このノズルヘッドとフードの間にできる隙間から、ノズル先端が上を向いている状態で使用してもフード内に溜まった液体を逃がすことが可能になるとともに、微小穴をフードにあけないことで、加工性も向上し、低コスト化が実現するという効果を奏する。
【００２５】
また、本発明（請求項３）にかかる頭皮洗浄器は、頭皮洗浄器で生成される脈動ジェット水流をノズルヘッドから吐出して洗浄部位にあてる際に、洗浄用水が飛散するのを防止する目的でフードがノズル先端に装着される、この場合、フードに、ノズルヘッドとの接合部の近傍に水抜きを行うための水抜き用穴を設けることにより、特に、ノズルが上に向いた状態であっても、フード内に洗浄用水が溜まり過ぎないうちに、フード内に溜まる洗浄液（水）の水抜きを可能にし、ノズル穴を塞ぐことがなくなるため、常に良好な洗浄を行なうことができるという効果を奏する。また、水抜き用穴を、前記ノズルヘッドの外周縁に設けられる複数の切り欠き部と、この切り欠き部にフードを接合することで形成することで、穴をあけるといった加工あるいは金型構造でなくなるので、フードの加工が容易になる。また、フードの内側に、水抜き用穴から出ようとする液体を、ブロックするための、たとえば返しツバといった導水手段を設けることにより、対象物にはねかえった液体をそのまま水抜き穴から勢いよく跳び出させることなく、いったんこの返しツバにあてることによって水流の勢いを減速させることが可能になる。
【発明を実施するための最良の形態】
【００２６】
以下に添付図面を参照して、この発明にかかるノズルヘッド用フードおよび頭皮洗浄器の最良な実施の形態を詳細に説明する。
【００２７】
本発明は、頭皮洗浄器などの脈動ジェット水流が吐き出されるノズルヘッドに、飛散防止機能とノズルの方向によらずフード内に溜まる洗浄液（水）の水抜きを可能にし、いかなるノズルの向きであっても、特に、ノズルが上に向いた状態であっても、ノズルの穴を多量の洗浄液によって塞ぐことを回避して良好な水流を供給し、安定した洗浄作業を実現可能にするものである。以下、詳細に説明する。
【実施例】
【００２８】
（実施の形態）
まず、本発明によるノズルヘッド用フードが装着される頭皮洗浄器の構成および動作について説明する。図１は、本発明の実施の形態にかかる頭皮洗浄器１００の外観図を示すものである。また、図２は、図１における頭皮洗浄器１００内部の概略構成を示すブロック図である。
【００２９】
これらの図に示すように、この頭皮洗浄器１００は、洗浄用水を貯水するタンク１０１と、タンク１０１から洗浄用水を取り込んで加圧すると共に脈動を与えて脈動ジェット水流として送水するポンプ部１０２と、ポンプ部１０２から送出された洗浄用水を導水する配管１０３と、配管１０３で導水された洗浄用水を導水するフレキシブルチューブ１０４と、フレキシブルチューブ１０４で導水された洗浄用水を吐出するノズルヘッド１０５と、ポンプ部１０２を駆動して洗浄用水の吐出制御を行なう制御部１０６と、ノズルヘッド１０５の先端に装着される飛散防止用のフード１２０と、を備えている。
【００３０】
なお、図２において、符号１０７はタンク１０１とポンプ部１０２との間の流路である移送部を示し、符号１１０は装置全体へ電力を供給する充電可能なバッテリである。また、フレキシブルチューブ１０４との結合部１０３ａを有している。フレキシブルチューブ１０４は、配管との結合部１０４ａを有している。
【００３１】
配管１０３は、図２に示すように、フレキシブルチューブ１０４との結合部１０３ａを有している。フレキシブルチューブ１０４は、配管１０３との結合部１０４ａを有している。また、ノズルヘッド１０５の取水口側に結合部１０５ａを設け、この結合部１０５ａにフレキシブルチューブ１０４の先端に設けられた結合部１０４ｂとを合わせることにより、ワンタッチで嵌合するように構成されている。このようにノズルヘッド１０５を着脱可能な構成とすることで、多種のノズルヘッドを使用する場合や、新品のノズルヘッドに交換するなど使用状況に適合したノズルヘッドを、ユーザが洗浄状況に合わせて迅速に交換して使用することができる。
【００３２】
つぎに、以上のように構成された頭皮洗浄器１００の動作について説明する。本発明の頭皮洗浄器１００を用いて洗浄を行なう場合、ユーザは、電源スイッチ（図示せず）を操作して電源を投入する。この電源が投入されると、制御部１０６は、電源１１０からポンプ部１０２へ電源を供給し、ポンプ部１０２を駆動する。ポンプ部１０２は、タンク１０１から給水された洗浄用水を所定の圧力で加圧し、フレキシブルチューブ１０４を経由させてノズルヘッド１０５へ洗浄用水を送水する。ノズルヘッド１０５からは、洗浄用水がシャワー状に吐出され、ユーザはこのシャワーを頭皮などの洗浄部位にあてて洗浄を行なう。
【００３３】
つぎに、本発明の特徴であるフード１２０の構成について説明する。このフード１２０は、ノズルヘッド１０６の先端部分にワンタッチで取り付けられ、水の吐き出し方向に開口を有してその先端部分を覆い、吐き出し水が洗浄部位以外に飛散するのを防止するものである。特に、本発明にかかるフード１２０は、ノズルヘッド１０５の先端を下に向けても、上に向けても、横に向けても、すなわちどの方向に向けてもノズルヘッド１０５の向きにかかわらず、フードの先端が対象物に密着しているとき、フード１２０の中に溜まった液体を、溜まり過ぎないうちに、スムーズに排水するものである。このフード１２０の水抜き穴の構成例を以下に示す。
【００３４】
図３は、本発明の実施の形態にかかるフード１２０の第１の構成例を示す説明図である。この図に示すように、フード１２０には、開口部先端側に設けられた水抜き用穴１２０の他に、ノズルヘッド１０５との接合部分の近傍に水抜き用穴１２０ｂを設ける。この穴１２０をフード１２０に設けることにより、フード先端を洗浄部位に密着させた状態で、ノズル先端を上に向けて洗浄を行なう場合にも、フード１２０内に溜まりやすい液体を逃がすことができる。なお、この穴１２０ａ，１２０ｂは、液体を良好にフード１２０の外へ逃がすと同時に、これらの穴から水の飛散が起こらない程度の大きさおよび数にとどめることが望ましい。
【００３５】
ところで、このフード１２０はプラスチック成型で加工される。このため、フード１２０に水抜き用穴１２０ａ，１２０ｂを設けることは、型構造上あるいは二次加工において生産性が劣る。そこで、これらの横方向かららの穴抜き加工を回避するために下記の構成にすることにより、フードをノズルヘッドに装着した場合に水抜き用の穴（隙間）を形成するようにする。
【００３６】
図４−１は、本発明の実施の形態にかかるフード１２０の第２の構成例を示す説明図であり、図４−２は図４−１におけるフード１２０とノズルヘッド１０５との接合部分（穴形成部分）を示す断面図であり、図４−３は図４−１、図４−２におけるフードを外したときのノズルヘッドの形状を示す拡大図である。
【００３７】
この例では、ノズルヘッド１０５に、水抜き用の切り欠き１０５ｇを設ける。すなわち、図４−３に示すようにノズルヘッド１０５の取り付け段差に複数の切り欠き１０５ｇを設け、この段差部分にフード１２０を図４−２に示すような位置関係で接合することにより、接合部分に複数の水抜き穴が形成される。この切り欠き１０５ｇを設けることにより、ノズルヘッド１０５にフードを取り付けたときに、水抜き用の穴が形成される。なお、符号１０５ｆはノズル穴である。したがって、この水抜き用の穴により、ノズルヘッド１０５を上に向けて洗浄を行なった場合にフード１２０内に溜まる水を逃がすことができる。
【００３８】
図５−１は、本発明の実施の形態にかかるフード１２０の第３の構成例を示す説明図であり、図５−２は図５−１におけるフード１２０とノズルヘッド１０５との接合部分（穴形成部分）を示す断面図である。
【００３９】
この場合、ノズルヘッド１０５に取り付けるためのフード１２０において、フード１２０の取り付け部分の端部に部分的に凸部１２０ｉを設ける。この形状のフード１２０をノズルヘッド１０５に取り付けたときに、隙間１２０ｌが形成される。この隙間１２０ｌから、ノズルヘッド１０５を上に向けて洗浄を行なった場合にフード１２０内に溜まる水を逃がすことができる。
【００４０】
図６−１は、本発明の実施の形態にかかるフード１２０の第４の構成例を示す説明図であり、図６−２は図６−１におけるフード１２０とノズルヘッド１０５との接合部分（穴形成部分）を示す断面図である。
【００４１】
本構成は、上記第３の構成例に対し、フード１２０の内側に導水手段としての返しツバ１２０ｍを設ける。これにより、隙間１２０ｌからフード内に溜まる水を逃がす際に、その液体をそのまま隙間１２０ｌに導かずにいったん返しツバ１２０ｍにあてることにより、水の流速を低下させて飛散の勢いを弱めることで、スムーズで効果的な水抜きが実現する。
【００４２】
したがって、このように構成されたフード１２０を頭皮洗浄器１００のノズルヘッド１０５に装着して使用することにより、水の飛び散りを防ぎながら水が頭皮にあたる心地よさを維持し、かつ水が頭皮にじかにあたりやすくなるため、効率的な洗浄を行なうことが可能になる。特に、美容室などにおいてバックシャンプーを行なう場合、ノズルの向きが上方に向けて使用されても、フード内の液体をスムーズに逃がすことで、ノズル穴を塞ぐことがなくなるので、良好な吐出し水が得られる。すなわち、ヘッドの向きによらず安定した洗浄環境を提供することができる。
【産業上の利用可能性】
【００４３】
以上のように、本発明にかかるノズルヘッド用フードおよび頭皮洗浄器は、頭皮・顔部洗浄、または口腔洗浄、ベッドで用いられる介護用シャワー、理容・美容・育毛サロン用シャワー、ペット用シャワー、洗車用シャワー、浴室用シャワーなどに有用であり、特に、圧力シャワーノズルから吐出される水などのユーザに対する飛散の防止およびノズル部分への飛散水の溜まりを排除したフード、およびこれを使用したヘッドや装置に適している。
【図面の簡単な説明】
【００４４】
【図１】本発明の実施の形態にかかる頭皮洗浄器の外観図を示すものである。
【図２】図１における頭皮洗浄器内部の概略構成を示すブロック図である。
【図３】本発明の実施の形態にかかるフードの第１の構成例を示す説明図である。
【図４−１】本発明の実施の形態にかかるフードの第２の構成例を示す説明図である。
【図４−２】図４−１におけるフードとノズルヘッドとの接合部分（穴形成部分）を示す断面図である。
【図４−３】図４−１、図４−２におけるフードを外したときのノズルヘッド形状を示す拡大図である。
【図５−１】本発明の実施の形態にかかるフードの第３の構成例を示す説明図である。
【図５−２】図５−１におけるフードとノズルヘッドとの接合部分（穴形成部分）を示す断面図である。
【図６−１】本発明の実施の形態にかかるフードの第４の構成例を示す説明図である。
【図６−２】図６−１におけるフードとノズルヘッドとの接合部分（穴形成部分）を示す断面図である。
【符号の説明】
【００４５】
１００  頭皮洗浄器
１０５  ノズルヘッド
１０５ａ，ｂ  水抜き用穴
１０５ｇ  切り欠き
１２０  フード
１２０ｉ  凸部
１２０ｌ  隙間
１２０ｍ  返しツバ
【図１】
0004694779.tif 000002
【図２】
0004694779.tif 000003
【図３】
0004694779.tif 000004
【図４−１】
0004694779.tif 000005
【図４−２】
0004694779.tif 000006
【図４−３】
0004694779.tif 000007
【図５−１】
0004694779.tif 000008
【図５−２】
0004694779.tif 000009
【図６−１】
0004694779.tif 000010
【図６−２】
0004694779.tif 000011